【事件の表示】
　特許第２９５６９８１号「通信システム」の請求項１に係る特許に対する特許異議の申立てについて、次のとおり決定する。
【結　論】
　訂正を認める。
　本件特許異議の申立てを却下する。
【理　由】
１．手続の経緯
　特許第２９５６９８１号の請求項１〜１２に係る発明についての出願は、平成１年１１月１０日（ＰＣＴ優先権主張１９８８年１１月１１日，イギリス国）に特許出願され、平成１１年７月２３日にその特許の設定登録がなされ、その後、尾島浩敬より特許異議の申立てがなされ、取消理由通知がなされ、その指定期間内である平成１３年１月１９日に訂正請求がなされたものである。
　
２．訂正の適否についての判断
ア．訂正の内容
　特許権者が求めている本件訂正請求の内容は、
Ａ．特許請求の範囲の請求項１を削除し、請求項２ないし請求項１２を請求項１ないし請求項１１として項を繰り上げ、特許請求の範囲の請求項５末行の「請求項３または請求項４」を「請求項２または請求項３」に、同請求項６第２行の「請求項２ないし請求項５」を「請求項１ないし請求項４」に、同請求項７第１行の「請求項３または請求項５」を「請求項２または請求項４」に、同請求項８第１行の「請求項３ないし請求項５」を「請求項２ないし請求項４」に、同請求項９第３行の「請求項２ないし請求項８」を「請求項１ないし請求項７」に、同請求項１０第３行の「請求項２ないし請求項８」を「請求項１ないし請求項７」に、同請求項１１第２行の「請求項１ないし請求項１０」を「請求項１ないし請求項９」に、同請求項１２第１行〜第２行の「請求項１ないし請求項１１」を「請求項１ないし請求項１０」に訂正する。
　
Ｂ．特許請求の範囲の請求項２の「光ファイバネットワークを通して無線トランシーバと無線ポートを選択的に相互接続するマトリックススイッチをさらに具備している請求項１記載の通信システム。」を
　「複数の無線周波数通信リンクを提供するための１以上の無線トランシーバを有するベースセンタと、
　これを通して無線周波数信号を空中に対して送受信することができる複数の固定された無線ボートと、
　ベースセンタ中の無線トランシーバと固定された無線ポートとを相互接続する光ファイバネットワークと、
　無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、
　各無線ポートを通して複数のユーザとべ−スセンタとの間に異なる周波数で動作する複数の通信リンクを確立できるように、無線周波数信号を周波数分割多重で結合することによって複数の無線トランシーバから１以上の無線ポートへのおよび１以上の無線ポートから複数の無線トランシーバへの通信リンクを提供する手段と、
　光ファイバネットワークを通して無線トランシーバと無線ポートを選択的に相互接続するマトリックススイッチとを具備する通信システム。」に訂正する。
　
Ｃ．特許請求の範囲の請求項４の「任意の所定の無線ポートを任意の所定の無線トランシーバと相互接続できるように、無線トランシーバと無線ポートを選択的に相互接続するマトリックススイッチをさらに具備する請求項１記載の通信システム。」を
　「複数の無線周波数通信リンクを提供するための１以上の無線トランシーバを有するベースセンタと、
　これを通して無線周波数信号を空中に対して送受信することができる複数の固定された無線ポートと、
　ベースセンタ中の無線トランシーバと固定された無線ポートとを相互接続する光ファイバネットワークと、
　無線トランシーバと光ファイバネットワークとの間および光ファイバネットワークと固定された無線ボートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、
　各無線ポートを通して複数のユーザとべ‐スセンタとの間に異なる周波数で動作する複数の通信リンクを確立できるように、無線周波数信号を周波数分割多重で結合することによって複数の無線トランシーバから１以上の無線ポートへのおよび１以上の無線ポートから複数の無線トランシーバへの通信リンクを提供する手段と、
　任意の所定の無線ポートを任意の所定の無線トランシーバと相互接続できるように、無線トランシーバと無線ポートを選択的に相互接続するマトリックススイッチとを具備する通信システム。」に訂正する。
　
Ｄ，平成１０年３月１７日付け手続補正書に基づく特許明細書第２頁第３行〜第１４行の「複数の無線周波数通信リンクを・・・が提供される。」を以下のように訂正する。
　「本発明の１つの観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ポートを通して複数のユーザとべ一スセンクとの間に異なる周波数で動作する複数の通信リンクを確立できるように、無線周波数信号を周波数分割多重で結合することによって複数の無線トランシーバから１以上の無線ポートへのおよび１以上の無線ポートから複数の無線トランシーバへの通信リンクを提供する手段と、光ファイバネットワークを通して無線トランシーバと無線ポートを選択的に相互接続するマトリックススイッチとを具備する通信システムが提供される。
　また本発明の他の観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ボートを通して複数のユーザとべ−スセンタとの間に異なる周波数で動作する複数の通信リンクを確立できるように、無線周波数信号を周波数分割多重で結合することによって複数の無線トランシーバから１以上の無線ポートへのおよび１以上の無線ポートから複数の無線トランシーバへの通信リンクを提供する手段と、任意の所定の無線ポートを任意の所定の無線トランシーバと相互接続できるように、無線トランシーバと無線ポートを選択的に相互接続するマトリックススイッチとを具備する通信システムが提供される。」
とするものである。
　
イ．訂正の目的の適否、新規事項の有無及び拡張・変更の存否
　上記訂正事項Ａについては、請求項１を削除し、これに伴い請求項２ないし請求項１２の請求項番号を繰り上げたものである。したがって、この訂正は、特許法第１２０条の４第２項ただし書き第１号に規定する特許請求の範囲の減縮を目的とするものである。
　
　上記訂正事項Ｂについては、特許請求の範囲の減縮を日的として請求項１を削除したことに伴い、請求項２の記載形式を訂正したものである。したがって、この訂正は、特許法第１２０条の４第２項ただし書き第１号に規定する特許請求の範囲の減縮または同第３号に規定する明りようでない記載の釈明を目的とするものである。
　
　上記訂正事項Ｃについては、特許請求の範囲の減縮を目的として請求項１を削除したことに伴い、請求項４の記載形式を訂正したものである。したがって、この訂正は、特許法第１２０条の４第２項ただし書き第１号に規定する特許請求の範囲の減縮または同第３号に規定する明りようでない記載の釈明を目的とするものである。
　
　上記訂正事項Ｄについては、訂正前の特許明細書第２頁第３行〜第１４行の記載が訂正前の請求項１の記載に対応していたものであるが、請求項１を削除したことにしたがって記載形式を訂正して新たな請求項１および新たな請求項３が独立請求項となったことに伴い、明細書の内容をこれらの新たな請求項１および請求項３の記載に対応させたものである。したがって、この訂正は、特許法第１２０条の４第２項ただし書き第３号に規定する明りょうでない記載の釈明当を目的とするものである。
　
　そして、これら訂正事項Ａ〜Ｄは、いずれも、願書に添付した明細書または図面に記載した事項の範囲内の訂正であり、実質上特許請求の範囲を拡張しまたは変更するものでもない。
　さらに、訂正後の請求項１〜１１に記載されている事項により特定される発明は、特許異議の対象とされていないので、特許出願の際独立して特許を受けることができるものである。
　
ウ．むすび
　以上のとおりであるから、上記訂正は、特許法第１２０条の４第２項及び同条第３項で準用する第１２６条第２〜４項の規定に適合するので、当該訂正を認める。
　
３．特許異議の申立てについての判断
　特許異議申立人は、訂正前の請求項１についてのみ特許異議を申立てたものであるところ、訂正前の請求項１に係る発明は．訂正の結果削除され、特許異議の申立ての対象が存在しないこととなった。
　よって、結論のとおり決定する。
【異議決定日】
平成１３年３月１６日（２００１．３．１６）
【訂正の要旨】
Ａ．特許請求の範囲の請求項１を削除し、請求項２ないし請求項１２を請求項１ないし請求項１１として項を繰り上げ、特許請求の範囲の請求項５末行の「請求項３または請求項４」を「請求項２または請求項３」に、同請求項６第２行の「請求項２ないし請求項５」を「請求項１ないし請求項４」に、同請求項７第１行の「請求項３または請求項５」を「請求項２または請求項４」に、同請求項８第１行の「請求項３ないし請求項５」を「請求項２ないし請求項４」に、同請求項９第３行の「請求項２ないし請求項８」を「請求項１ないし請求項７」に、同請求項１０第３行の「請求項２ないし請求項８」を「請求項１ないし請求項７」に、同請求項１１第２行の「請求項１ないし請求項１０」を「請求項１ないし請求項９」に、同請求項１２第１行〜第２行の「請求項１ないし請求項１１」を「請求項１ないし請求項１０」に訂正する。
Ｂ．特許請求の範囲の請求項２の「光ファイバネットワークを通して無線トランシーバと無線ポートを選択的に相互接続するマトリックススイッチをさらに具備している請求項１記載の通信システム。」を
　「複数の無線周波数通信リンクを提供するための１以上の無線トランシーバを有するベースセンタと、
　これを通して無線周波数信号を空中に対して送受信することができる複数の固定された無線ボートと、
　ベースセンタ中の無線トランシーバと固定された無線ポートとを相互接続する光ファイバネットワークと、
　無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、
　各無線ポートを通して複数のユーザとベ−スセンタとの間に異なる周波数で動作する複数の通信リンクを確立できるように、無線周波数信号を周波数分割多重で結合することによって複数の無線トランシーバから１以上の無線ポートへのおよび１以上の無線ポートから複数の無線トランシーバヘの通信リンクを提供する手段と、
　光ファイバネットワークを通して無線トランシーバと無線ポートを選択的に相互接続するマトリックススイッチとを具備する通信システム。」に訂正する。
Ｃ．特許請求の範囲の請求項４の「任意の所定の無線ポートを任意の所定の無線トランシーバと相互接続できるように、無線トランシーバと無線ポートを選択的に相互接続するマトリックススイッチをさらに具備する請求項１記載の通信システム。」を
　「複数の無線周波数通信リンクを提供するための１以上の無線トランシーバを有するベースセンタと、
　これを通して無線周波数信号を空中に対して送受信することができる複数の固定された無線ポートと、
　ベースセンタ中の無線トランシーバと固定された無線ポートとを相互接続する光ファイバネットワークと、
　無線トランシーバと光ファイバネットワークとの間および光ファイバネットワークと固定された無線ボートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、
　各無線ポートを通して複数のユーザとベ‐スセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、
　任意の所定の無線ポートを任意の所定の無線トランシーバと相互接続できるように、無線トランシーバと無線ポートを選択的に相互接続するマトリックススイッチとを具備する通信システム。」に訂正する。
Ｄ，平成１０年３月１７日付け手続補正書に基づく特許明細書第２頁第３行〜第１４行の「複数の無線周波数通信リンクを・・・が提供される。」を以下のように訂正する。
　「本発明の１つの観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ポートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、光ファイバネットワークを通して無線トランシーバと無線ポートを選択的に相互接続するマトリックススイッチとを具備する通信システムが提供される。
　また本発明の他の観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ボートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、任意の所定の無線ポートを任意の所定の無線トランシーバと相互接続できるように、無線トランシーバと無線ポートを選択的に相互接続するマトリックススイッチとを具備する通信システムが提供される。」
と訂正する。
（５４）【発明の名称】
通信システム
【発明の詳細な説明】
　この発明は、通信システムに関し、特に、例えばＰＳＮ、ＩＳＤＮ、ＬＡＮまたはＰＢＸのような固定ネットワークまたはシステムに自動車無線（無線周波数）装置を接続するためのシステムに関する。
　現在例えばセル無線システム自動車無線（無線周波数）装置はスイッチング制御センターに接続された無線トランシーバを有する固定ベースステーションと通信し、スイッチング制御センターはＰＳＴＮに結合されている。提案されているテレポイントシステムにおいてはコードレス電話機（ＣＴ）は直接ＰＳＴＮに結合されている無線トランシーバを装備した固定ベースステーションと無線通信を介してＰＳＴＮにアクセスすることができる。これら両方の例において無線トランシーバおよびベースステーションは自動車ユーザとＰＳＴＮまたは他のネットワークとの間の接続に拡張されている。それ故これらのシステムは複雑で高価である。将来のシステムは多数の小さい無線“セル”の設備を含む改善されたカバー範囲を提供することが所望され、したがって多数のベースステーションおよび無線トランシーバが必要である。
　適当なベースステーション位置を発見することの困難さおよびそれらの設備費用がそのような開発を実用的でないものとしている。たしかにそれらはその様なプロジェクトの商業的魅力を減殺している。この発明は簡単化された構成と改善された性能の通信システムを求めるものである。
　本発明の１つの観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ポートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、光ファイバネットワークを通して無線トランシーバと無線ポートを選択的に相互接続するマトリックススイッチとを具備する通信システムが提供される。
　また本発明の他の観点にしたがうと、複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、各無線ポートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、任意の所定の無線ポートを任意の所定の無線トランシーバと相互接続できるように、無線トランシーバと無線ポートを選択的に相互接続するマトリックススイッチとを具備する通信システムが提供される。
　複数の無線周波数通信リンクを提供するための１以上の無線トランシーバを有するベースセンタと、これを通して無線周波数信号を空中に対して送受信することができる複数の固定された無線ポートと、ベースセンタ中の無線トランシーバと固定された無線ポートとを相互接続する光ファイバネットワークと、無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の光信号から無線周波数変調信号を復調することのできる複数の無線／光インターフェイスと、任意の所定の無線ポートを任意の所定の無線トランシーバと相互接続できるように、無線トランシーバと無線ポートを選択的に相互接続するマトリックススイッチとを具備する通信システムが提供される。
　この発明は、無線トランシーバをベースセンタに中心化し、その結果無線トランシーバが光ファイバネットワークを通って選択的に無線ポート接続することによって技術的および商業的な効果を奏することを可能にする。
　無線周波数通信リンクは例えば時分割多重または周波数分割多重にすることが可能である。
　この発明の好ましい実施例を添付図面を参照にして以下例示的に説明する。
　図１は、この発明の好ましい実施例による通信システムの概略ブロック図である。
　図２ａは、好ましい実施例の一部を形成する光学マトリックススイッチの概略ブロック図である。
　図２ｂは、好ましい実施例の一部を形成する無線周波数マトリックススイッチの概略ブロック図である。
　図３は、この発明の別の実施例の概略図である。
　図１に示された好ましい実施例は、中心化された無線その他の信号処理ベースセンタ１０に固定された分配用無線ポート１を結合するために光学的ネットワーク２，４を使用する多数のユーザ用の、領域カバー無線分配システムである。このシステムの重要な特徴は無線周波数（無線周波数）信号で変調された、例えば振幅変調された光搬送波を使用することである。
　ベースセンタ１０および無線ポート１の両者において、無線周波数信号を光キャリアに搬送させ、また光キャリアから無線周波数信号を再生することができる無線／光インターフェイスが異なる方法で配置されている。光キャリアの変調は入力無線周波数信号で適当なレーザ装置を駆動することによって行うことができ、それによりレーザ装置の出力は無線周波数信号によって効果的に強度または振幅変調される。この方法により振幅変調された光信号を受信する適当な光検出器は直接無線周波数出力を生成することができる。この明細書では用語“無線／光インターフェイス”はこのような意味で使用されている。
　無線ポート１はそれぞれ無線／光インターフェイスを有しており、それらはそれぞれ動き回る無線装置との間で無線搬送波の受信および送信を行う。中心化された位置との間で送受信される無線搬送波は例えば上記のように光キャリアに搬送させ、または光キャリアから再生される。無線ポート１をベースセンタに結合する光学的ネットワーク２，４は、通常のものであり、光キャリアに無線周波数搬送波を搬送させる光リンクを有している。各光リンクは両方向性のものとして示されている。しかしながら各方向で別々のリンクが設けられてもよい。光学システム内には光学的マルチプレクサ／デマルチプレクサ（Ｍ＋Ｄ）１４が設けられている。各マルチプレクサは多数、例えばＸ個の光キャリアをＸよりも少ない数の光リンクに多重化する。デマルチプレクサは多数の光キャリアを個々の光リンクに分割する。
　ベースセンタ１０においては、光学的ネットワーク２，４は光学的マルチプレクサ／デマルチプレクサ（Ｍ＋Ｄ）１４に接続されている（図１参照）。（Ｍ＋Ｄ）１４はＭ個の光学的ラインによってＮ×Ｍマトリックススイッチ１３に接続され、このマトリックススイッチ１３については以下詳細に説明する。Ｎ×Ｍマトリックススイッチ１３は多数の（Ｎ個）の無線トランシーバ１５に結合されているＮ個の無線周波数リンクを有する。無線トランシーバ１５は別のネットワークの多数の（Ｋ個の）チャンネルにスイッチ１７を介して接続され、それはＩＳＤＮ、セラー、ＬＡＮ、ＰＢＸ等であってもよい。ＫはＮ以上でよい。またベースセンタ１０においては、中央制御装置１６がスイッチ１７、Ｎ×Ｍマトリックススイッチ１３およびＭ＋Ｄ１４に接続され、光学的、無線周波数、およびベースバンドの経路およびスイッチングを制御し、自動車の装置と共同して無線周波数搬送波およびチャンネルの割当てを調整する。
　ベースセンタ１０の中心部分はＮ×Ｍマトリックススイッチ１３である。これはＮ個の無線搬送波の任意のものをＭ個の光伝送ラインの任意のものへ多重化する。すなわち、ゼロ、１またはそれ以上の無線搬送波が任意のときに光キャリアの任意のものによって搬送されることができる。Ｎ×Ｍマトリックススイッチ１３は図２ａおよび図２ｂに示されるように２つの方法の１つで構成されている。それぞれの場合において、無線／光インターフェイスは中心部のトランシーバから送信されるべき無線搬送波を光キャリアにより搬送させ、中心部のトランシーバにより受信される無線搬送波を光キャリアから分離する。スイッチングは光学的に行われることができ（図２ａ）、その場合には無線／光インターフェイスはスイッチの無線側にある。またスイッチは無線周波数マトリックススイッチでもよく（図２ｂ）、その場合には無線／光インターフェイスはスイッチの光学側にある。いずれの場合にも全体的にはＮ個の無線ラインがＭ個の光学ラインに多重化される結果を生じる。
　好ましい実施例のシステムの利点は大きい。ユーザは例えばコードレス電話機（ＣＴ）のような適当な無線トランシーバにより任意の無線ポート１を通って外部のネットワークにアクセスし、Ｎ個の無線トランシーバ１５の使用されていないものに接続されることができる。利用可能な無線周波数容量が与えられるために、Ｎ個全ての無線トランシーバが無線ポート１の特定のものとの間の呼出しに使用されることができ、同様に、無線トランシーバの使用はシステムの無線ポート間で分配される。ここに本発明のシステムの基本的な利点がある。すなわち無線トランシーバの中心化である。このシステムにおいては、無線トランシーバは中心化され、一層経済的な使用を可能にし、保守等を容易にする。別の大きな利点の一つとして、異なる領域または区域をカバーするポート間の授受を光キャリア間の簡単なスイッチングによって、すなわちＮ×Ｍマトリックススイッチ１３によって可能にすることがある。またダイバーシティの使用はスイッチングまたは結合リンクを通って２以上のポートに中央から容易に行われることができ、それらのポートによってカバーされた自動車の特性を改善することができる。さらに無線周波数システムを使用することにより、任意の搬送波が所定の電話機ではなくサービスに割当てられるために所定の領域またはセルに中央化されたベースステーションによりダイナミックに割当てられることができる。したがって無線搬送波は領域１および領域４の両方に、しかし別々のユーザに割当てられることができる。別の時間には無線搬送波は領域３に割当てられるかもしれない。ユーザの全体の数は全体のシステムに対してはほぼ一定のままであるが、システム内のユーザの密度は変化することができる。例えば全てのユーザが領域１から領域４に移動し、全ての中心部の無線トランシーバが活性状態を維持することもあり得る。もしも無線トランシーバが各領域中で離れているならば、中心における割当てと同数の無線トランシーバが日中のピークのトラフィック需要を満たすために必要であろう。しかしそれらは大部分の時間は空の状態である。図１のシステムに対しては中心化された形態の無線トランシーバの４倍の無線トランシーバが必要になり、したがって中央化方式の改良されたトランク特性は無線トランシーバの費用およびフィールド内の装置の量を最小にし、保守および設備費の潜在的な減少をもたらす。
　通常は自動車が領域間を移動するとき引継ぎのためにベース無線トランシーバの変更が必要である。これはもはや必要ない。自動車が領域間を移動するときスイッチ１３がその自動車に対して現在使用している無線トランシーバを単に１つの領域から別の領域へ切替えるだけでよいからである。したがって引継ぎのための中断は無線トランシーバ間の切替えに必要な長い時間に比較して非常に短い光学的または無線周波数切替え時間に減少される。
　多数の無線分布システムのスペクトル効率は、システム内の無線周波数送信が同期されるならば増加される。これは無線トランシーバがいくつかの位置に広がって分布している場合には困難であるが、中央化されていればはるかに容易である。
　この発明の別の実施例が図３に示されており、それは光学システムがマルチプレクサ／デマルチプレクサを伴わないことを除いては図１のものと類似している。したがってこの実施例ではＭ＋Ｄ１４は存在せず、Ｎ×Ｍマトリックススイッチ１３のＭ個の出力は直接無線ポート１に接続されている。それ故Ｎ×Ｍスイッチ１３の光ラインと無線ポート１との間には恒久的に１対１の対応がある。
　説明したこの発明の実施例は周波数分割多重アクセスの使用に基づいており、各通信リンクは別々の無線周波数である。その代りに時分割多重アクセスも使用されることができ、各通信リンクは単一の無線チャンネルにおける別々のタイムスロットである。この場合にはトラフィック需要を満たすためにベースセンタ１０に多数の無線トランシーバがあり、したがって無線分配ポート１における周波数またはタイムスロットの再使用が行われる。無線トランシーバ１５からマトリックススイッチ１３への接続はそれぞれＰ個のタイムスロットを有するＮ個の無線リンクにより行われ、無線トランシーバー５からマトリックススイッチ１３へ全体でＮ×Ｐのリンクが形成される。この方法の拡張としてそれぞれ多数の無線搬送波と多数のタイムスロットを有する時分割と周波数分割のハイブリッドの可能性がある。
　無線周波数スイッチの形態の１例が図４に示されている。この図には３つの分配点システムにおける無線周波数マトリックススイッチを示している。無線周波数マトリックススイッチは４個の無線トランシーバ５１（関連する分離回路５２を有する）を３個の回路に相互接続し、それら回路のそれぞれは光ファイバ対を介して分配点に結合している。ベース装置およびＤ．Ｐ．の全ての組合わせに対する両方向性無線周波数接続は接続路の接続または分離を可能にするスイッチを介して行われる。これらのスイッチはコンピュータの制御下にある。
　無線トランシーバ５１からの信号或いは無線トランシーバ５１への信号は４個の３路結合器５３（これらは実際には走査受信機５２に供給する予備の出力を有する４路結合器である）において分割または結合され各出力／入力は出力／入力を分離することのできるスイッチを通過する。このスイッチから信号は３個の４路結合器５５の１つの入力に供給され、３個の無線／光インターフェイス５６の１つを介してＤ．Ｐ．との間で送受信される。
　これらのスイッチはマイクロプロセッサ制御下にあり、無線周波数マトリックススイッチが任意の無線トランシーバを分配点の任意の組合わせに、および反対に分配点を無線トランシーバの任意の組合わせに切り替えることを許容する。したがってベースセンタはただ１つの分配点に供給するスイッチを変更することによって全ての分配点を同時に供給することができる。
　光スイッチのための素子の２つの例が図５ａ，ｂに示されている。２つの基本的技術、すなわち（ｉ）バルク光学装置と（ｉｉ）導波装置がある。
　バルク光学スイッチ装置は図５ａに示され、出力ポート間の入来光信号の切替えを行うために光路の機械的または物理的切替えを使用する。この形式のスイッチの１例は２つの出力間の切替え可能な単一入力に対して示されている。基本ビルディングブロックとしてこれを使用した他のスイッチの形態は２×２および２×４スイッチである。
　導波装置スイッチ素子は図５ｂに示され、電界の印加によりスイッチ導波体の光伝播特性を変更させるために電気光学的効果を使用する。この形式の装置の１例は図５ｂに示されたマッハツェンダー干渉計（ＭＺＩ）である。この形式のスイッチは簡単な２×２から阻止されない８×８スイッチマトリックスまで拡張されることができる。
（５７）【特許請求の範囲】
　１．複数の無線周波数通信リンクを提供するための１以上の無線トランシーバを有するベースセンタと、
　これを通して無線周波数信号を空中に対して送受信することができる複数の固定された無線ポートと、
　ベースセンタ中の無線トランシーバと固定された無線ポートとを相互接続する光ファイバネットワークと、
　無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、　各無線ポートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、
　光ファイバネットワークを通して無線トランシーバと無線ポートを選択的に相互接続するマトリックススイッチとを具備する通信システム。
　２．複数の無線周波数通信リンクを提供するための１以上の無線トランシーバを有するベースセンタと、
　これを通して無線周波数信号を空中に対して送受信することができる複数の固定された無線ポートと、
　ベースセンタ中の無線トランシーバと固定された無線ポートとを相互接続する光ファイバネットワークと、
　無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の光信号から無線周波数変調信号を復調することのできる複数の無線／光インターフェイスと、
　任意の所定の無線ポートを任意の所定の無線トランシーバと相互接続できるように、無線トランシーバと無線ポートを選択的に相互接続するマトリックススイッチとを具備する通信システム。
　３．複数の無線周波数通信リンクを提供するための１以上の無線トランシーバを有するベースセンタと、
　これを通して無線周波数信号を空中に対して送受信することができる複数の固定された無線ポートと、
　ベースセンタ中の無線トランシーバと固定された無線ポートとを相互接続する光ファイバネットワークと、
　無線トランシーバと光ファイバネットワークとの間および光ファイバネットワークと固定された無線ポートとの間に位置しており、光ファイバネットワーク上で変調光信号により無線周波数変調信号を伝えることができるように、無線周波数変調信号で１以上の光信号を変調し、１以上の変調光信号から無線周波数変調信号を復調することのできる複数の無線／光インターフェイスと、
　各無線ポートを通して複数のユーザとベースセンタとの間に異なる周波数で動作する複数の通信リンクを確立できるように、無線周波数信号を周波数分割多重で結合することによって複数の無線トランシーバから１以上の無線ポートヘのおよび１以上の無線ポートから複数の無線トランシーバヘの通信リンクを提供する手段と、
　任意の所定の無線ポートを任意の所定の無線トランシーバと相互接続できるように、無線トランシーバと無線ポートを選択的に相互接続するマトリックススイッチとを具備する通信システム。
　４．個々の無線トランシーバの選択的なスイッチングを通して、１つの無線ポートから他の無線ポートヘの無線ポート間の呼びの引継ぎを制御する手段をさらに具備する請求項２または請求項３記載の通信システム。
　５．ダイバーシティ動作がマトリックススイッチングにより２以上無線ポート間の結合またはスイッチングによって行われる請求項１ないし請求項４のいずれか１項記載の通信システム。
　６．無線周波数リンクは周波数分割多重化されている請求項２または請求項４記載の通信システム。
　７．無線周波数リンクは時分割多重化されている請求項２ないし請求項４のいずれか１項記載の通信システム。
　８．マトリックススイッチが光信号のスイッチングのために設けられ、この光マトリックススイッチと１以上の無線トランシーバとの間に１以上の無線／光インターフェイスが設けられている請求項１ないし請求項７のいずれか１項記載の通信システム。
　９．マトリックススイッチが無線周波数信号のスイッチングのために設けられ、この無線周波数マトリックススイッチと光ファイバネットワークとの間に１以上の無線／光インターフェイスが設けられている請求項１ないし請求項７のいずれか１項記載の通信システム。
　１０．光ファイバネットワーク中に光信号のマルチプレクサ／デマルチプレクサが設けられている請求項１ないし請求項９のいずれか１項記載の通信システム。
　１１．光ファイバネットワークが光信号の波長による経路設定を備えている請求項１ないし請求項１０のいずれか１項記載の通信システム。